(57)【要約】【課題】画面ロック機能に関する操作を直感的に行えるようにする。【解決手段】画像を表示する表示部を備える電子機器であって、表示部が表示する画像に対する第１の操作を受け付ける第１の領域と、第１の領域に対してなされた操作に応じた内部状態を他の状態に遷移させる第２の操作を受け付ける第２の領域と、を含む接触操作検出部と、接触操作検出部が、第２の領域に対する第２の操作とは異なる第３の操作を検出した場合には、第１の領域に対するユーザの操作を有効とする通常モードから、第１の領域に対するユーザの操作を無効とする画面ロックモードに電子機器の動作モードを設定するモード遷移部と、通常モードから画面ロックモードに遷移する際に、接触操作検出部が、第２の領域に対する第３の操作とは異なる第４の操作を検出した場合には、通常モードから画面ロックモードへの遷移を中断させるモード遷移中断部と、を備える。【選択図】図１
2013171416.tif 000002
【特許請求の範囲】
【請求項１】
画像を表示する表示部を備える電子機器であって、
前記表示部が表示する画像に対する第１の操作を受け付ける第１の領域と、前記第１の領域に対してなされた操作に応じた内部状態を他の状態に遷移させる第２の操作を受け付ける第２の領域と、を含む接触操作検出部と、
前記接触操作検出部が、前記第２の領域に対する前記第２の操作とは異なる第３の操作を検出した場合には、前記第１の領域に対するユーザの操作を有効とする通常モードから、前記第１の領域に対するユーザの操作を無効とする画面ロックモードに前記電子機器の動作モードを設定するモード遷移部と、
前記通常モードから前記画面ロックモードに遷移する際に、前記接触操作検出部が、前記第２の領域に対する前記第３の操作とは異なる第４の操作を検出した場合には、前記通常モードから前記画面ロックモードへの遷移を中断させるモード遷移中断部と、
を備えることを特徴とする電子機器。
【請求項２】
前記モード遷移中断部は、前記接触操作検出部が、前記画面ロックモードへの遷移開始から所定の時間以内に、前記第４の操作を検出した場合には、前記通常モードから前記画面ロックモードへの遷移を中断させる請求項１に記載の電子機器。
【請求項３】
前記接触操作検出部が、前記画面ロックモードへの遷移を中断できる所定の時間を経過した後、前記第４の操作を検出した場合には、前記モード遷移中断部は、前記通常モードから前記画面ロックモードへの遷移を中断しない請求項２に記載の電子機器。
【請求項４】
前記モード遷移部は、前記通常モードから前記画面ロックモードに遷移する際に、前記表示部を消灯する請求項１乃至３のいずれか一に記載の電子機器。
【請求項５】
前記第３の操作は、タップ操作、長押し操作、又はフリック操作のいずれかである請求項１乃至４のいずれか一に記載の電子機器。
【請求項６】
前記第４の操作は、タップ操作、長押し操作、又はフリック操作のいずれかである請求項１乃至５のいずれか一に記載の電子機器。
【請求項７】
画像を表示する表示部と、
前記表示部が表示する画像に対する第１の操作を受け付ける第１の領域と、前記第１の領域に対してなされた操作に応じた内部状態を他の状態に遷移させる第２の操作を受け付ける第２の領域と、を含む接触操作検出部と、を備える電子機器の制御方法であって、
前記第２の領域に対する前記第２の操作とは異なる第３の操作を検出した場合には、前記第１の操作検出部に対するユーザの操作を有効とする通常モードから、前記第１の操作検出部に対するユーザの操作を無効とする画面ロックモードに前記電子機器の動作モードを設定する工程と、
前記通常モードから前記画面ロックモードに遷移する際に、前記第２の領域に対する前記第３の操作とは異なる第４の操作を検出した場合には、前記通常モードから前記画面ロックモードへの遷移を中断させる中断工程と、
を含むことを特徴とする電子機器の制御方法。
【請求項８】
前記中断工程は、前記画面ロックモードへの遷移開始から所定の時間以内に、前記第４の操作を検出した場合には、前記通常モードから前記画面ロックモードへの遷移を中断させる請求項７に記載の電子機器の制御方法。
【請求項９】
画像を表示する表示部と、
前記表示部が表示する画像に対する第１の操作を受け付ける第１の領域と、前記第１の領域に対してなされた操作に応じた内部状態を他の状態に遷移させる第２の操作を受け付ける第２の領域と、を含む接触操作検出部と、を備える電子機器を制御するコンピュータに実行させるプログラムであって、
前記第２の領域に対する前記第２の操作とは異なる第３の操作を検出した場合には、前記第１の操作検出部に対するユーザの操作を有効とする通常モードから、前記第１の操作検出部に対するユーザの操作を無効とする画面ロックモードに前記電子機器の動作モードを設定する処理と、
前記通常モードから前記画面ロックモードに遷移する際に、前記第２の領域に対する前記第３の操作とは異なる第４の操作を検出した場合には、前記通常モードから前記画面ロックモードへの遷移を中断させる中断処理と、
を実行するプログラム。
【請求項１０】
前記中断処理は、前記画面ロックモードへの遷移開始から所定の時間以内に、前記第４の操作を検出した場合には、前記通常モードから前記画面ロックモードへの遷移を中断させる請求項９に記載のプログラム。
【発明の詳細な説明】
【技術分野】
【０００１】
本発明は、電子機器、その制御方法及びプログラムに関する。特に、タッチパネルを備える電子機器、その制御方法及びプログラムに関する。
【背景技術】
【０００２】
近年、スマートフォンに代表されるように、タッチパネルを備える電子機器が急速に普及している。しかし、タッチパネルが常に動作可能な状態とすると、ユーザの意図しない接触により誤動作する恐れがある。そこで、スマートフォン等の携帯する機会の多い電子機器は、画面ロック機能を備えることが多い。画面ロック機能とは、タッチパネルに対する操作を受け付けない機能である。
【０００３】
ここで、特許文献１において、タッチパネルとは別に電源スイッチを設け、ホールド状態とする電子機器が開示されている。なお、特許文献１では、画面ロック機能が有効になっている状態をホールド状態と表記している。即ち、ホールド状態時には、タッチパネルに対する操作を受け付けない。
【０００４】
また、特許文献２において、指紋認証により、セキュリティ状態の設定、及びその解除をする携帯端末装置が開示されている。なお、特許文献２におけるセキュリティ状態とは、ユーザによる操作を制限する状態である。
【先行技術文献】
【特許文献】
【０００５】
【特許文献１】特開２００６−１０７１９４号公報
【特許文献２】特開２００７−３１０６３８号公報
【発明の概要】
【発明が解決しようとする課題】
【０００６】
なお、上記先行技術文献の開示を、本書に引用をもって繰り込むものとする。以下の分析は、本発明の観点からなされたものである。
【０００７】
上記のとおり、タッチパネルを備える電子機器では、ユーザが意図しない接触による誤動作が起きる可能性がある。そのため、タッチパネルを備える電子機器は、画面ロック機能を備えていることが多い。しかし、画面ロック機能の設定、及びその解除を簡易な操作で行うことができない場合がある。
【０００８】
初めに、特許文献１が開示する電源スイッチを用いた画面ロック機能について説明する。通常、タッチパネルを備える電子機器では、ユーザは、タッチパネルを用いてほとんどの操作を行う。そのため、ユーザの電源スイッチに対する意識は低い。従って、電源スイッチを使った画面ロック機能に対して、ユーザの認知度は低くなりやすい。さらに、スマートフォンなど小型の電子機器においては、電源スイッチを用いた画面ロック機能の有効・無効を設定する操作は、簡易でない場合が多い。なぜなら、小型の電子機器においては、ユーザの指の表面面積（大きさ）に対し、電源スイッチが小さいことが多いためである。以上により、電源スイッチを用いた画面ロック機能に関する操作は、タッチパネルを備える電子機器の利便性を損なうことになる。
【０００９】
次に、特許文献２が開示する指紋認証機能による画面ロック機能について説明する。特許文献２が開示する技術によれば、ユーザは指紋センサ部に接触するだけで、セキュリティ状態の設定、及びその解除ができる。しかし、電源スイッチと同様に、指紋センサ部も、ユーザが通常の操作において意識するデバイスではない。さらに、指紋認証に基づく画面ロック機能は、ユーザが直感的に操作できる機能とはいえない。
【００１０】
従って、画面ロック機能に関する操作を直感的に行うことができる電子機器、その制御方法及びプログラム、が望まれる。
【課題を解決するための手段】
【００１１】
本発明の第１の視点によれば、画像を表示する表示部を備える電子機器であって、前記表示部が表示する画像に対する第１の操作を受け付ける第１の領域と、前記第１の領域に対してなされた操作に応じた内部状態を他の状態に遷移させる第２の操作を受け付ける第２の領域と、を含む接触操作検出部と、前記接触操作検出部が、前記第２の領域に対する前記第２の操作とは異なる第３の操作を検出した場合には、前記第１の領域に対するユーザの操作を有効とする通常モードから、前記第１の領域に対するユーザの操作を無効とする画面ロックモードに前記電子機器の動作モードを設定するモード遷移部と、前記通常モードから前記画面ロックモードに遷移する際に、前記接触操作検出部が、前記第２の領域に対する前記第３の操作とは異なる第４の操作を検出した場合には、前記通常モードから前記画面ロックモードへの遷移を中断させるモード遷移中断部と、を備える電子機器が提供される。
【００１２】
本発明の第２の視点によれば、画像を表示する表示部と、前記表示部が表示する画像に対する第１の操作を受け付ける第１の領域と、前記第１の領域に対してなされた操作に応じた内部状態を他の状態に遷移させる第２の操作を受け付ける第２の領域と、を含む接触操作検出部と、を備える電子機器の制御方法であって、前記第２の領域に対する前記第２の操作とは異なる第３の操作を検出した場合には、前記第１の操作検出部に対するユーザの操作を有効とする通常モードから、前記第１の操作検出部に対するユーザの操作を無効とする画面ロックモードに前記電子機器の動作モードを設定する工程と、前記通常モードから前記画面ロックモードに遷移する際に、前記第２の領域に対する前記第３の操作とは異なる第４の操作を検出した場合には、前記通常モードから前記画面ロックモードへの遷移を中断させる中断工程と、を含む電子機器の制御方法が提供される。
【００１３】
本発明の第３の視点によれば、画像を表示する表示部と、前記表示部が表示する画像に対する第１の操作を受け付ける第１の領域と、前記第１の領域に対してなされた操作に応じた内部状態を他の状態に遷移させる第２の操作を受け付ける第２の領域と、を含む接触操作検出部と、を備える電子機器を制御するコンピュータに実行させるプログラムであって、前記第２の領域に対する前記第２の操作とは異なる第３の操作を検出した場合には、前記第１の操作検出部に対するユーザの操作を有効とする通常モードから、前記第１の操作検出部に対するユーザの操作を無効とする画面ロックモードに前記電子機器の動作モードを設定する処理と、前記通常モードから前記画面ロックモードに遷移する際に、前記第２の領域に対する前記第３の操作とは異なる第４の操作を検出した場合には、前記通常モードから前記画面ロックモードへの遷移を中断させる中断処理と、を実行するプログラムが提供される。なお、このプログラムは、コンピュータが読み取り可能な記憶媒体に記録することができる。即ち、本発明は、コンピュータプログラム製品として具現することも可能である。記憶媒体は、非トランジェント（ｎｏｎ−ｔｒａｎｓｉｅｎｔ）なものとすることができる。
【発明の効果】
【００１４】
本発明の各視点によれば、画面ロック機能に関する操作を直感的に行うことができる電子機器、その制御方法及びプログラムが、提供される。
【図面の簡単な説明】
【００１５】
【図１】本発明の一実施形態を説明するための図である。
【図２】本発明の第１の実施形態に係る電子機器１の全体構成の一例を示す平面図である。
【図３】電子機器１の内部構成の一例を示す図である。
【図４】電子機器１の動作の一例を示す図である。
【図５】動作モードの遷移処理のフローチャートである。
【発明を実施するための形態】
【００１６】
初めに、図１を用いて一実施形態の概要について説明する。なお、この概要に付記した図面参照符号は、理解を助けるための一例として各要素に便宜上付記したものであり、本発明を図示の態様に限定することを意図したものではない。
【００１７】
上記のとおり、タッチパネルを備える電子機器では、ユーザが意図しない接触による誤操作が起きる可能性がある。そのため、タッチパネルを備える電子機器は、画面ロック機能を備えていることが多い。しかし、画面ロック機能の設定、及び解除を簡易な操作で行うことができない場合がある。そのため、画面ロック機能に関する操作を直感的に行うことができる電子機器が、望まれる。
【００１８】
そこで、一例として図１に示す電子機器１００を提供する。図１に示す電子機器１００は、画像を表示する表示部１０１を備える電子機器であって、表示部１０１が表示する画像に対する第１の操作を受け付ける第１の領域１０２と、第１の領域に対してなされた操作に応じた内部状態を他の状態に遷移させる第２の操作を受け付ける第２の領域１０３と、を含む接触操作検出部１０４と、接触操作検出部１０４が、第２の領域１０３に対する第２の操作とは異なる第３の操作を検出した場合には、第１の領域１０２に対するユーザの操作を有効とする通常モードから、第１の領域１０２に対するユーザの操作を無効とする画面ロックモードに電子機器の動作モードを設定するモード遷移部１０５と、通常モードから画面ロックモードに遷移する際に、接触操作検出部が、第２の領域１０３に対する第３の操作とは異なる第４の操作を検出した場合には、通常モードから画面ロックモードへの遷移を中断させるモード遷移中断部１０６と、を備える。
【００１９】
まず、電子機器１００の通常モードでは、ユーザは第１の領域１０２、及び第２の領域１０３を用いて、電子機器１００を操作できる。さらに、第２の領域１０３は、第１の領域１０２とは、独立しているものとする。
【００２０】
また、接触操作検出部１０４は、ユーザによる接触操作を検出する。接触操作検出部１０４は、たとえば静電容量方式のタッチセンサにより構成され、第１の領域１０２、及び第２の領域１０３に対するユーザの接触操作に応じた信号を出力する。
【００２１】
ここで、第１の領域１０２は、表示部１０１が表示する画像（アイコンなど）に対する第１の操作を受け付ける。例えば、スマートフォンの場合には、ディスプレイと一体化したタッチパネル部分が第１の領域１０２である。従って、電子機器１００においては、ユーザはほとんどの処理を第１の領域に対して行うとする。
【００２２】
そして、接触操作検出部１０４は、第２の領域１０３に対する第２の操作を検出し、電子機器１００の内部状態を他の状態に遷移させる。例えば、スマートフォンにおいて、アイコン（第１の領域）に対応するプログラムを実行したとする（第１の操作に対応する処理）。その後、ユーザが、メニュー画面に戻すためのキー（第２の領域）を操作してプログラムを終了するとする（第２の操作に対応する処理）。この場合、第２の領域１０３は、ユーザの使用頻度の高い領域である。
【００２３】
そして、第２の領域１０３が第３の操作を検出した場合、電子機器１００は、第１の領域１０２に対するユーザの操作が無効となる画面ロックモードに遷移する。
【００２４】
ここで、第１の領域１０２が、電子機器１００の表面面積の大半の部分を占める場合を考える。かつ、第２の領域１０３の表面面積が、第１の領域１０２の表面面積より小さいとする。
【００２５】
その場合には、第１の領域１０２に対するユーザの操作が無効となれば、ユーザの意図しない操作による誤動作が起きる可能性を低くできる。
【００２６】
ここで、第１の領域１０２に対するユーザの操作が無効の状態でも、第２の領域１０３に対するユーザの操作は有効である。しかし、上記の例のように、第２の領域１０３の表面面積が小さければ、ユーザの意図しない操作による誤動作が起きる可能性は低い。
【００２７】
さらに、第２の領域１０３は、電子機器１００の内部状態を他の状態に遷移するために、ユーザが操作する領域である。つまり、第２の領域１０３は、ユーザの使用頻度の高い領域である。そのため、第２の領域１０３を用いた操作は、ユーザにとって馴染みやすい操作となる。
【００２８】
さらに、第３の操作、及び第４の操作は、ユーザが直感的に行える操作であることが好ましい。例えば、ユーザが意図しない操作によって、第１の領域１０２に対するユーザの操作が無効となる動作モードへの遷移が開始されたとする。その場合に、電子機器１００においては、第４の操作（簡易な操作）によって、容易に電子機器１を通常モードに戻すことができる。
【００２９】
以上より、電子機器１００では、画面ロック機能に関する操作を直感的に行うことができる。
【００３０】
以下に、具体的な実施の形態について、図面を参照してさらに詳しく説明する。
【００３１】
［第１の実施形態］
本発明を第１の実施形態について、図面を用いてさらに詳しく説明する。
【００３２】
図２は、本実施形態に係る電子機器１の全体構成の一例を示す平面図である。
【００３３】
電子機器１は、液晶パネル１１（上記の第１の領域１０２に相当）、タッチパネル１２（上記の接触操作検出部１０４に相当）、電源キー２０、ホームキー２１（上記の第２の領域１０３に相当）を備える。なお、液晶パネル１１はタッチパネルの一部と一体化しているとする。そして、ホームキー２１とは、液晶パネル１１と独立した操作キーを示すものとする。
【００３４】
例えば、ホームキー２１は、アプリケーションの終了、メニュー画面の表示などを行う操作キーである。つまり、ホームキー２１は、ユーザの使用頻度の高いキーである。従って、ホームキー２１を用いて、第３の操作、及び第４の操作を行うことが好ましい。なぜなら、使用頻度の高いホームキー２１を用いることによって、ユーザは画面ロック機能に関する操作を直感的に行うことができるからである。
【００３５】
ここで、電子機器１は、図２に示すデバイスを備える電子機器であれば、その形態は問わない。例えば、スマートフォン、ゲーム機、タブレットＰＣ（Ｐｅｒｓｏｎａｌ  Ｃｏｍｐｕｔｅｒ）、ノートＰＣなどが本実施形態の電子機器１に該当する。
【００３６】
なお、液晶パネル１１は、有機ＥＬ（Ｅｌｅｃｔｒｏ  Ｌｕｍｉｎｅｓｃｅｎｃｅ）パネル等の他の表示デバイスであってもよいものとする。また、表示デバイスにおいて、各種の色の階調が存在するが、本実施形態に係る電子機器１は、その方式は問わない。
【００３７】
また、タッチパネル１２は平板上のセンサによりユーザの接触操作を検出するタッチパネルである。ここで、タッチパネルの方式には、静電容量方式を初めとして各種存在するがその方式は問わない。
【００３８】
さらに、電子機器１は、電源キー２０を備える。電子機器１は、電源キー２０を用いてタッチパネル１２に対するユーザの操作を無効にできてもよい。なお、多くのタッチパネルを備える電子機器１は電源キー２０を備えている。ここで、タッチパネルを備える電子機器１では、ユーザは、タッチパネルを用いてほとんどの操作を行う。そのため、ユーザの電源キー２０に対する意識は低い。従って、電源キー２０での画面ロック機能に対して、ユーザの認知度は低くなりやすい。
【００３９】
図３は、電子機器１の内部構成の一例を示す図である。電子機器１は、制御部１０、液晶パネル１１、タッチパネル１２、タッチキー１３（上記、ホームキー２１に相当）、ＲＯＭ（Ｒｅａｄ  Ｏｎｌｙ  Ｍｅｍｏｒｙ）１４、ＲＡＭ（Ｒａｎｄｏｍ  Ａｃｃｅｓｓ  Ｍｅｍｏｒｙ）１５、タイマ部１６を備える。ここで、制御部１０は、バス１７を介して電子機器１の装置内の各部と接続されている。図３には、簡単のため、本実施形態に係る電子機器１に関係するモジュールのみを記載する。ここで、液晶パネル１１、タッチパネル１２は上記のとおりであるので、さらなる説明を省略する。
【００４０】
制御部１０は、電子機器１が実行する機能の制御用プログラムを実行する。従って、制御部１０において、上記のモード遷移部１０５、及びモード遷移中断部１０６の処理が行われる。さらに、制御部１０は、タッチパネル１２、及びタッチキー１３の出力を受付け、行われた操作を判断する。
【００４１】
タッチキー１３は、ユーザによる接触を検出する。タッチキー１３は、たとえば静電容量方式のタッチセンサにより構成され、キーに対するユーザの接触操作に応じた信号を出力する。ここで、タッチキーの方式には、静電容量方式を初めとして各種存在するがその方式は問わない。なお、以下では、タッチキー１３は、液晶パネル１１とは独立した操作領域を示すものとする。
【００４２】
ユーザがタッチキー１３に対して行う操作には、シングルタップ操作、ダブルタップ操作などがある。ここで、シングルタップ操作とは、ユーザがタッチキー１３の表面に触れた直後に、表面に触れた指を離す操作である。また、ダブルタップ操作とは、シングルタップ操作を連続して２回行う操作である。さらに、ユーザがタッチキー１３に対して行う操作には、いわゆる長押し操作、フリック操作もある。長押し操作とは、ユーザがタッチキー１３に対して、所定の時間以上の接触を持続する操作である。フリック操作とは、ユーザがタッチキー１３の表面で、指を弾く操作である。ここで、上記の第３の操作、第４の操作には、シングルタップ操作、ダブルタップ操作、長押し操作、フリック操作のように簡易な操作が好ましい。
【００４３】
また、ＲＯＭ１４は、読み込み専用の記憶媒体である。ＲＯＭ１４は、電子機器１が実行する機能の制御用プログラム等の固定的なデータを格納する。
【００４４】
また、ＲＡＭ１５は、格納されたデータに任意の順序でアクセスできる記憶媒体である。そして、ＲＡＭ１５は、電子機器１が実行する機能の制御用プログラムにおいて、一時的に必要となるデータを格納する。
【００４５】
また、タイマ部１６は、画面ロックモードへの遷移開始からの時間を計測する。そして、画面ロックモードへの遷移開始から所定の時間以内に、制御部１０が第４の操作を検出した場合、制御部１０は電子機器１の動作モードを通常モードに戻す。
【００４６】
そして、画面ロックモードへの遷移開始から所定の時間経過後に、制御部１０は、電子機器１の動作モードを画面ロックモードへ遷移する。画面ロックモードへの遷移後に、タッチキー１３が所定の操作を検出した場合に、電子機器１の動作モードを通常モードへ遷移する。ここで、画面ロックモードから通常モードへ遷移する操作は、ユーザが意図して行う操作であることが好ましい。なぜなら、ユーザが意図して行う操作に基づき、画面ロックモードを解除することで、ユーザが意図しない操作による誤動作を防止できるからである。
【００４７】
つまり、電子機器１は、画面ロックモードへの遷移開始から画面ロックモード遷移完了までに、所定の猶予時間を有する。この所定の猶予時間以内に制御部１０が第４の操作を検出した場合には、電子機器１は、画面ロックモードへの遷移を中断する。
【００４８】
次に、電子機器１の動作について説明する。なお、以下の説明では、第３の操作をダブルタップ操作とする。かつ、以下の説明では、第４の操作をシングルタップ操作とする。
【００４９】
まず、図４は電子機器１の動作の一例を示す図である。
【００５０】
図４の（ａ）図は、電子機器１の通常モードでの一例を示す図である。また、図４の（ｂ）図は、電子機器１の通常モードで、ユーザがホームキー２１を操作する一例を示す図である。また、図４の（ｃ）図は電子機器１の画面ロックモードの一例を示す図である。なお、上記のとおり、液晶パネル１１はタッチパネル１２の一部と一体化している。
【００５１】
図４の（ａ）図、及び（ｂ）図に示すように、通常モードでは、電子機器１は、液晶パネル１１にアイコン２２を表示するものとする。ここで、アイコン２２は、電子機器１が実行する機能を表す。そして、電子機器１は、液晶パネル１１と一体化したタッチパネル１２の領域に対してユーザの操作を検出した場合に、アイコン２２に対応する機能を実行する。
【００５２】
さらに、図４の（ｃ）図に示すように、画面ロックモードでは、電子機器１は液晶パネル１１のバックライトを消灯することが好ましい。液晶パネル１１が消灯されることによって、ユーザは、液晶パネル１１と一体化したタッチパネル１２への操作が無効である動作モードに遷移したことを認識できる。また、液晶パネル１１を消灯することによって、電子機器１は画面ロックモードでは省電力となる。
【００５３】
図４の（ａ）図、又は図４の（ｂ）図に示すように、通常モードでは、ホームキー２１、又は液晶パネル１１と一体化したタッチパネル１２をユーザは操作する。その場合に、通常モードにおいて、電子機器１がホームキー２１に対するダブルタップ操作を検出したとする。その場合には、電子機器１は画面ロックモードに遷移する。つまり、図４の（ｂ）図の状態から、図４の（ｃ）図の状態に遷移する。その後、所定の時間以内に、電子機器１がホームキー２１に対するシングルタップ操作を検出したとする。その場合には、電子機器１は画面ロックモードから通常モードへ戻る。つまり、図４の（ｃ）図の状態から、図４の（ｂ）図の状態へ戻る。
【００５４】
このように、電子機器１においては、ユーザは、通常モードから液晶パネルと一体化したタッチパネル１２への操作を無効とする動作モードへの遷移を直感的に行うことができる。かつ、所定の時間以内であれば、ユーザは、タッチパネル１２への操作が無効な動作モードから通常モードへの遷移も直感的に行うことができる。
【００５５】
次に、図５のフローチャートを用いて、動作モードの遷移処理について説明する。
【００５６】
まず、電子機器１が通常モードであるとする（ステップＳ１）。その場合に、ホームキー２１に対してダブルタップ操作が行われたか否かを、制御部１０は判断する（ステップＳ２）。ホームキー２１に対するダブルタップ操作が行われていないと判断した場合、制御部１０は通常モードを継続する（ステップＳ２のＮｏ分岐）。
【００５７】
一方、ホームキー２１に対するダブルタップ操作が行われたと判断した場合（ステップＳ２のＹｅｓ分岐）、モード遷移部１０５は画面ロックモードへの遷移を開始する（ステップＳ３）。
【００５８】
次に、画面ロックモードへの遷移開始後に、ホームキー２１に対する第２の操作が行われたか否かを、制御部１０は判断する（ステップＳ４）。ホームキー２１に対する第２の操作が行われたと判断した場合（ステップＳ４のＹｅｓ分岐）、モード遷移中断部１０６は画面ロックモードへの遷移を中断する。そしてモード遷移部１０５は電子機器１を通常モードへ遷移させる（ステップＳ５）。
【００５９】
一方、ホームキー２１に対する第２の操作が行われていないと判断した場合（ステップＳ４のＮｏ分岐）、画面ロックモードへの遷移開始から一定時間が経過したか否かを、制御部１０は判断する（ステップＳ６）。
【００６０】
画面ロックモードへの遷移開始から一定時間が経過していないと判断した場合、再度、ホームキー２１に対する第２の操作を行われたか否かを、制御部１０は判断する（ステップＳ６のＮｏ分岐）。
【００６１】
一方、画面ロックモードへの遷移開始から一定時間が経過したと判断した場合（ステップＳ６のＹｅｓ分岐）、モード遷移部１０５は画面ロックモードへの遷移を完了する（ステップＳ７）。なお、画面ロックモードへの遷移完了後には、画面ロックモードは簡易な操作で解除できないことが好ましい。なぜなら、画面ロックモードを簡易な操作で解除できないことによって、ユーザが意図しない操作による誤動作を防止できるからである。
【００６２】
以上より、本実施形態に係る電子機器１の効果は、画面ロック機能に関する操作を直感的に行えることである。なぜなら、本実施形態に係る電子機器１では、使用頻度の高いタッチキーに対する簡易な操作により、画面ロック機能に関する操作を行えるからである。
【００６３】
以上、本発明の各実施形態を説明したが、本発明は、上記した実施形態に限定されるものではなく、本発明の基本的技術的思想を逸脱しない範囲で更なる変形・置換・調整を加えることができる。例えば、上記した実施形態では、第３の操作にダブルタップ操作、及び第４の操作にシングルタップ操作を例示して説明した。しかし、電子機器１は、他の操作を第３の操作、及び第４の操作に割り当ててもよい。例えば、第３の操作、及び第４の操作として、長押し操作、又はフリック操作などを設定してもよい。また、電子機器１は、第３の操作、及び第４の操作をユーザに指定させる機能を備えてもよい。
【００６４】
また、上記した実施形態では、所定の時間以内に、タッチキー１３に対する第４の操作を制御部１０が検出した場合、画面ロックモードへの遷移を中断する実施形態について説明した。ここで、電子機器１は、画面ロックモードへの遷移中断のための所定時間を、ユーザに設定させる機能を備えてもよい。
【００６５】
また、上記した実施形態では、液晶パネル１１は、タッチパネル１２の一部と一体化した形態として説明した。しかし、液晶パネル１１とタッチパネル１２と、が離れた位置に設置された形態でもよい。
【００６６】
上記の実施形態の一部又は全部は、以下の付記のようにも記載され得るが、以下には限られない。
【００６７】
（付記１）画像を表示する表示部を備える電子機器であって、前記表示部が表示する画像に対する第１の操作を受け付ける第１の領域と、前記第１の領域に対してなされた操作に応じた内部状態を他の状態に遷移させる第２の操作を受け付ける第２の領域と、を含む接触操作検出部と、前記接触操作検出部が、前記第２の領域に対する前記第２の操作とは異なる第３の操作を検出した場合には、前記第１の領域に対するユーザの操作を有効とする通常モードから、前記第１の領域に対するユーザの操作を無効とする画面ロックモードに前記電子機器の動作モードを設定するモード遷移部と、前記通常モードから前記画面ロックモードに遷移する際に、前記接触操作検出部が、前記第２の領域に対する前記第３の操作とは異なる第４の操作を検出した場合には、前記通常モードから前記画面ロックモードへの遷移を中断させるモード遷移中断部と、を備える電子機器。
【００６８】
（付記２）前記モード遷移中断部は、前記接触操作検出部が、前記画面ロックモードへの遷移開始から所定の時間以内に、前記第４の操作を検出した場合には、前記通常モードから前記画面ロックモードへの遷移を中断させる電子機器。
【００６９】
（付記３）前記接触操作検出部が、前記画面ロックモードへの遷移を中断できる所定の時間を経過した後、前記第４の操作を検出した場合には、前記モード遷移中断部は、前記通常モードから前記画面ロックモードへの遷移を中断しない電子機器。
【００７０】
（付記４）前記モード遷移部は、前記通常モードから前記画面ロックモードに遷移する際に、前記表示部を消灯させる電子機器。
【００７１】
（付記５）前記第３の操作は、タップ操作、長押し操作、又はフリック操作のいずれかである電子機器。
【００７２】
（付記６）前記第４の操作は、タップ操作、長押し操作、又はフリック操作のいずれかである電子機器。
【００７３】
（付記７）画像を表示する表示部と、前記表示部が表示する画像に対する第１の操作を受け付ける第１の領域と、前記第１の領域に対してなされた操作に応じた内部状態を他の状態に遷移させる第２の操作を受け付ける第２の領域と、を含む接触操作検出部と、を備える電子機器の制御方法であって、前記第２の領域に対する前記第２の操作とは異なる第３の操作を検出した場合には、前記第１の操作検出部に対するユーザの操作を有効とする通常モードから、前記第１の操作検出部に対するユーザの操作を無効とする画面ロックモードに前記電子機器の動作モードを設定する工程と、前記通常モードから前記画面ロックモードに遷移する際に、前記第２の領域に対する前記第３の操作とは異なる第４の操作を検出した場合には、前記通常モードから前記画面ロックモードへの遷移を中断させる中断工程と、を含む電子機器の制御方法。
【００７４】
（付記８）前記中断工程は、前記画面ロックモードへの遷移開始から所定の時間以内に、前記第４の操作を検出した場合には、前記通常モードから前記画面ロックモードへの遷移を中断させる電子機器の制御方法。
【００７５】
（付記９）前記画面ロックモードへの遷移を中断できる所定の時間を経過した後、前記第４の操作を検出した場合には、前記中断工程は、前記通常モードから前記画面ロックモードへの遷移を中断しない電子機器の制御方法。
【００７６】
（付記１０）画像を表示する表示部と、前記表示部が表示する画像に対する第１の操作を受け付ける第１の領域と、前記第１の領域に対してなされた操作に応じた内部状態を他の状態に遷移させる第２の操作を受け付ける第２の領域と、を含む接触操作検出部と、を備える電子機器を制御するコンピュータに実行させるプログラムであって、前記第２の領域に対する前記第２の操作とは異なる第３の操作を検出した場合には、前記第１の操作検出部に対するユーザの操作を有効とする通常モードから、前記第１の操作検出部に対するユーザの操作を無効とする画面ロックモードに前記電子機器の動作モードを設定する処理と、前記通常モードから前記画面ロックモードに遷移する際に、前記第２の領域に対する前記第３の操作とは異なる第４の操作を検出した場合には、前記通常モードから前記画面ロックモードへの遷移を中断させる中断処理と、を実行するプログラム。
【００７７】
（付記１１）前記中断処理は、前記画面ロックモードへの遷移開始から所定の時間以内に、前記第４の操作を検出した場合には、前記通常モードから前記画面ロックモードへの遷移を中断させるプログラム。
【００７８】
（付記１２）前記画面ロックモードへの遷移を中断できる所定の時間を経過した後、前記第４の操作を検出した場合には、前記中断処理は、前記通常モードから前記画面ロックモードへの遷移を中断しないプログラム。
【００７９】
なお、引用した上記の特許文献等の各開示は、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。
【符号の説明】
【００８０】
１、１００  電子機器
１０  制御部
１１  液晶パネル
１２  タッチパネル
１３  タッチキー
１４  ＲＯＭ
１５  ＲＡＭ
１６  タイマ部
１７  バス
２０  電源キー
２１  ホームキー
２２  アイコン
１０１  表示部
１０２  第１の領域
１０３  第２の領域
１０４  接触操作検出部
１０５  モード遷移部
１０６  モード遷移中断部
【図１】
2013171416.tif 000003
【図２】
2013171416.tif 000004
【図３】
2013171416.tif 000005
【図４】
2013171416.tif 000006
【図５】
2013171416.tif 000007